(57)【要約】【課題】底の深い菓子容器に適用して好適な菓子容器であり，底の深い容器に収納されたプディングや羊羹などの軟体菓子を簡単に上記形を崩すことなく取り出すことのできる菓子容器セットおよび単体としての菓子容器を提供することを目的とする。【解決手段】一端が開放された菓子容器であって，他端に指で容易に開封される仮封止部を備えた菓子容器と，上記仮封止部に接続可能な空気吹出部を備えた手動空気ポンプとを具備してなる菓子容器セット。上記菓子容器が上記仮封止部の周りに形成された円環状突起部を具備し，上記手動ポンプの上記空気吹出部が上記円環状突起との係合可能に形成されている場合もある。上記手動空気ポンプがプラスチック製の一体製形品からなり，中間に蛇腹を備えたもの，或いは上記菓子容器がその内面に前記他端から一端側に向かう筋が形成され，更に一端が開放された菓子容器であって，他端に指で容易に開封される仮封止部を含む。【選択図】図１１
2004292032.tif 000002
【特許請求の範囲】
【請求項１】
一端が開放された菓子容器であって，他端に指で容易に開封される仮封止部を備えた菓子容器と，上記仮封止部に接続可能な空気吹出部を備えた手動空気ポンプとを具備してなる菓子容器セット。
【請求項２】
上記菓子容器が上記仮封止部の周りに形成された円環状突起部を具備し，上記手動ポンプの上記空気吹出部が上記円環状突起との係合可能に形成されてなる請求項１記載の菓子容器セット。
【請求項３】
上記手動空気ポンプがプラスチック製の一体製形品からなり，中間に蛇腹を備えたものである請求項１或いは２のいずれかに記載の菓子容器セット。
【請求項４】
上記菓子容器がその内面に前記他端から一端側に向かう筋が形成されてなる請求項１〜３のいずれかに記載の菓子容器セット。
【請求項５】
一端が開放された菓子容器であって，他端に指で容易に開封される仮封止部を備えた菓子容器。
【請求項６】
上記菓子容器が上記仮封止部の周りに形成された円環状突起部を具備してなるものである請求項５記載の菓子容器。
【発明の詳細な説明】
【０００１】
【発明の属する技術分野】
本発明は，菓子容器とこの菓子容器に収納された菓子を空気圧で押し出す空気ポンプとからなる新規な菓子容器セットおよび単体としての菓子容器に関するものである。
【０００２】
【従来の技術】
従来，羊羹やプディングといったゼリー状の菓子などを容器に入れた状態で販売する場合がある。このような菓子容器では，容器が深いと菓子を押し出すのに苦労する。そのためプディングなどでは，容器の底に簡単に開封される孔を形成し，プディングを押し出したい時にこの孔を空けて，プディングを自重で容器から押し出すようにしている。プディングが出にくい場合には，容器を少々加熱したり押しつぶすことで，簡単にプディングを押し出すことができる。
【０００３】
【発明が解決しようとする課題】
しかしながら，上記容器が非常に底の深いものの場合には，たとえ底部に穴を空けても容器へのプディングの付着力が大きいので簡単にはプディングを取り出すことができない。もちろんスプーンなどですくえば，中のプディング壊して取り出すことができるが，プディングの形が崩れて菓子としての美観を損ねることになる。
【０００４】
従って，本発明は上記事情に鑑みてなされたものであり，その目的とするところは，底の深い菓子容器に適用して好適な菓子容器であり，底の深い容器に収納されたプディングや羊羹などの軟体菓子を簡単に上記形を崩すことなく取り出すことのできる菓子容器セットおよび単体としての菓子容器を提供することを目的とするものである。
【０００５】
【課題を解決するための手段】
上記目的を達成するために請求項１にかかる本発明は，
一端が開放された菓子容器であって，他端に指で容易に開封される仮封止部を備えた菓子容器と，上記仮封止部に接続可能な空気吹出部を備えた手動空気ポンプとを具備してなる菓子容器セットとして構成されている。
また請求項２では，上記菓子容器が上記仮封止部の周りに形成された円環状突起部を具備し，上記手動ポンプの上記空気吹出部が上記円環状突起との係合可能に形成されてなる請求項１記載の菓子容器セットが提供される。
更に請求項３では，上記手動空気ポンプがプラスチック製の一体製形品からなり，中間に蛇腹を備えたものである請求項１或いは２のいずれかに記載の菓子容器セットが提供される。
請求項４に記載の菓子容器セットは，上記菓子容器がその内面に前記他端から一端側に向かう筋が形成されてなる請求項１〜３のいずれかに記載の菓子容器セットである。
【０００６】
本発明に係る菓子容器としては，一端が開放された菓子容器であって，他端に指で容易に開封される仮封止部を備えた菓子容器が請求項５として提供される。
請求項６では，上記菓子容器が上記仮封止部の周りに形成された円環状突起部を具備してなるものである請求項５記載の菓子容器が提供される。
【０００７】
【発明の実施の形態】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る菓子容器の正面図，図２は，同平面図，図３は，同右側面図，図４は，同左側面図，図５は，図１におけるＡ−Ａ´線断面図，図６は，図４におけるＢ−Ｂ´線断面図，図７は，空気ポンプの正面図，図８は，同平面図，図９は，同底面図，図１０は，図１におけるＡ−Ａ´線断面図，図１１は，上記菓子容器と空気ポンプを組み合わせた使用状態を示す斜視図である。
【０００８】
図１〜図６を用いて，本発明の実施の形態に係る菓子容器についてまず説明する。
この菓子容器１は，横長で図１の左端部が開放端１ａで，その反対側端（図１の右端部）が，密封上の閉塞端１ｂを構成している。菓子を収納した製品状態では，上記菓子容器１の中に羊羹やプディングなどの軟体菓子が収納され，上記開放端１ａにプラスティックシートなどが貼られて，機密状態が維持される。即ち，上記閉塞端１ｂが，容器の底部となっている。
【０００９】
一方，上記閉塞端１ｂには，図４および図６に示すような，円環状突起１ｃが２個形成され，この円環状突起１ｃの中央には，それぞれ上記閉塞端１ｂに直角方向の爪１ｄが形成されている。また上記爪１ｄの周囲は薄肉部１ｅをなしており，上記爪１ｄを指で押して図６（ｂ）のように倒すと，上記薄肉部１ｅが容易に裂けて，空気通り穴１ｆが簡単に形成されるように構成されている。従って上記爪１ｄは引っ張れば簡単にちぎれる。この薄肉部１ｅが本発明における仮封止部である。
【００１０】
さらにこの菓子容器１にはその内部壁面に深さ方向の筋１ｇが形成されている。羊羹などの内容物は，この筋１ｇにガイドされて押し出される。この筋１ｇは，容器の一面のみに形成されているが，複数の面に形成することももちろん可能である。但しこの筋１ｇは，必要に応じて省略可能である。また，上記円環状突起１ｃは，必ずしも図６に示したような外に向いた突起でなくてもよく，円環状の溝であってもよく，要するに，後述するポンプ２の吹出部が係合しうるものであれば良い。また上記仮封止部である薄肉部１ｅはこの実施形態では２箇所設けられているが，１箇所或いは３ヵ所以上であっても良いことは言うまでもない。なお，上記係合用の円環状突起１ｃ自体を省略することも可能である。この場合，ポンプ２からの空気が漏れ易くなるが，それを覚悟すれば突起１ｃを省略することも不可能ではない。
【００１１】
次にこの菓子容器に接続可能な手動空気ポンプ２について図７￣１０を参照して説明する。このポンプ２は，最もよく分かる図１０の断面図に示すように，一端が空気吹出部２ａを構成し，他端が空気吸込み口２ｂを備えた底部２ｃを構成している。また上記空気吹出部２ａと空気吸込み口２ｂとの間には伸縮自在の蛇腹部２ｄが設けられており，上記底部２ｃに親指を当てて空気吸込み口２ｂを閉ざした状態で底部２ｃを図１０における下方に押し込むことで，ポンプ２内の空気を空気吹出部２ａから吐出する事ができる。
【００１２】
上記空気吹出部２ａの内径或いは外径は，前記菓子容器１の底部に設けた円環状突起１ｃの外径或いは内径と略等しく，空気吹出部２ａを上記円環状突起１ｃに差し込んで係止する事ができる。
上記した菓子容器１から上記ポンプ２を用いて内容物である羊羹などを簡単に取り出すには，菓子容器１の密封状態を維持する前記プラスティックシートをはがすと共に，菓子容器１の爪１ｄを押し倒して薄肉部１ｅを破り，空気通り穴１ｆを作る。そして前記したように空気吹出部２ａを円環状突起１ｃに係止した後，図１１に示すように親指を前記ポンプ２の底部２ｃに当てて空気吸込み口２ｂを閉止した状態で底部２ｃを菓子容器１の方向に押し込む。すると，ポンプ２内の空気は空気吹出部２ａおよび空気通り穴１ｆを通って菓子容器１内に吹き込まれ，その空気圧で菓子容器１内の内容物である羊羹などが開放端１ａ方向に押し出される。
【００１３】
親指を離すと，空気は空気吸込み口１ｂからポンプ２内に吸い込まれ，蛇腹の復元作用でポンプ２の形状が元に戻る。この動作を繰り返すことで，羊羹などの内容物が型崩れしないままで菓子容器１から押し出される。
【００１４】
前記したように円環状突起１ｃは省略可能である。また仮封止部の構造は上記のようなものに限定されず，例えば，閉塞端１ｂ自身の周囲に薄肉部を設け，閉塞端の一部を押し込むことで上記薄肉部を破るようなものでも，或いは缶ビールのプルトップのような構造を採用してもよい。
【００１５】
【発明の効果】
以上説明したように，請求項１にかかる本発明によれば，
一端が開放された菓子容器であって，他端に指で容易に開封される仮封止部を備えた菓子容器と，上記仮封止部に接続可能な空気吹出部を備えた手動空気ポンプとを具備してなる菓子容器セットとして構成されている。
従って，手動ポンプと菓子容器とを上記仮封止部の部分で接続して手動ポンプで空気を菓子容器内に送り込むことで，容器が非常に深いものであっても，容器内の菓子をその形を崩さず押し出すことができる。
また請求項２では，上記菓子容器が上記仮封止部の周りに形成された円環状突起部を具備し，上記手動ポンプの上記空気吹出部が上記円環状突起との係合可能に形成されてなる請求項１記載の菓子容器セットが提供される。
この場合には，上記炎環状突起で菓子容器と手動ポンプが密に接続されるので，ポンプからの空気が漏れることなく菓子容器に吹き込まれ，菓子の押し出しを容易に実行することができる。
更に請求項３では，上記手動空気ポンプがプラスチック製の一体製形品からなり，中間に蛇腹を備えたものである請求項１或いは２のいずれかに記載の菓子容器セットが提供される。
この場合には，ポンプの構造が簡単で，且つ確実にポンプ作用を発揮することができる。
請求項４に記載の菓子容器セットは，上記菓子容器がその内面に前記他端から一端側に向かう筋が形成されてなる請求項１〜３のいずれかに記載の菓子容器セットである。
この場合には，上記筋に沿って菓子が容易に押し出される。上記筋が菓子の美観に寄与することも無視できない。
本発明に係る菓子容器としては，一端が開放された菓子容器であって，他端に指で容易に開封される仮封止部を備えた菓子容器が請求項５として提供される。
単体としての菓子容器であり，請求項１の菓子容器セットと同様の作用効果を期待できる。
請求項６では，上記菓子容器が上記仮封止部の周りに形成された円環状突起部を具備してなるものである請求項５記載の菓子容器が提供される。
請求項２と同様の作用効果を期待できる。
【図面の簡単な説明】
【図１】本発明の実施の形態に係る菓子容器の正面図。
【図２】同平面図。
【図３】同右側面図。
【図４】同左側面図。
【図５】図１におけるＡ−Ａ´線断面図。
【図６】図４におけるＢ−Ｂ´線断面図。
【図７】空気ポンプの正面図。
【図８】同平面図。
【図９】同底面図。
【図１０】図１におけるＡ−Ａ´線断面図。
【図１１】上記菓子容器と空気ポンプを組み合わせた使用状態を示す斜視図。
【符号の説明】
１…菓子容器
２…手動ポンプ
１ａ…開放端
１ｂ…閉止端
１ｃ…円環状突起
１ｄ…爪
１ｅ…薄肉部
１ｆ…空気通り穴
１ｇ…筋
２ａ…空気吹出部
２ｂ…空気吸い込み口
２ｃ…底部
２ｄ…蛇腹部
【図１】
2004292032.tif 000003
【図２】
2004292032.tif 000004
【図３】
2004292032.tif 000005
【図４】
2004292032.tif 000006
【図５】
2004292032.tif 000007
【図６】
2004292032.tif 000008
【図７】
2004292032.tif 000009
【図８】
2004292032.tif 000010
【図９】
2004292032.tif 000011
【図１０】
2004292032.tif 000012
【図１１】
2004292032.tif 000013